(57)【要約】【課題】軸受保持部材を確実に回り止めするとともに容易に製作可能とし、しかもセンターベアリングサポート全体としても部品点数および組み立て工数を削減可能な大型車両用センターベアリングサポートを提供する。【解決手段】ブロック状を呈するゴム状弾性体２に設けた軸孔２ａの内周に金属環よりなる軸受保持部材３を固定し、軸受保持部材３の内周に軸受４を固定してなる大型車両用センターベアリングサポート１において、ゴム状弾性体２と軸受保持部材３との結合を加硫接着構造とし、軸受保持部材３を段付部３ｂを有する形状とし、軸受保持部材３と軸受４との結合を圧入構造とする。軸受保持部材３は、大径筒部３ａの軸方向一端に段付部３ｂを介して小径筒部３ｃを一体成形した形状とする。【選択図】図１
2008281099.tif 000002
【特許請求の範囲】
【請求項１】
ブロック状を呈するゴム状弾性体に設けた軸孔の内周に金属環よりなる軸受保持部材を固定し、前記軸受保持部材の内周に軸受を固定してなる大型車両用センターベアリングサポートにおいて、
前記ゴム状弾性体と軸受保持部材との結合を加硫接着構造とし、前記軸受保持部材を段付部を有する形状とし、前記軸受保持部材と軸受との結合を圧入構造としたことを特徴とするセンターベアリングサポート。
【請求項２】
請求項１記載のセンターベアリングサポートにおいて、
軸受保持部材は、大径筒部の軸方向一端に段付部を介して小径筒部を一体成形した形状とされていることを特徴とするセンターベアリングサポート。
【発明の詳細な説明】
【技術分野】
【０００１】
本発明は、自動車等車両においてプロペラシャフトを回転自在にかつ弾性的に支持するセンターベアリングサポートに関し、特に大型車両用のセンターベアリングサポートに関するものである。
【背景技術】
【０００２】
従来から図４ないし図６に示すように、大型車両用のセンターベアリングサポートとして、軸受５１を保持する軸受保持部材５２をゴム状弾性体５３に挿入保持させる構造のものが知られており、この従来技術においては、軸受保持部材５２の回り止め（回転防止）として、ゴム状弾性体５３の軸孔内周面に窪み５４（図６）を設けるとともにこの窪み５４に合致する突起５５（図５）を軸受保持部材５２の外周面に設け、窪み５４に突起５５を嵌め合わせている。また、金属環よりなる軸受保持部材５２はその内径を切削加工するものとされ、軸受５１との嵌め合い形式を中間嵌めとして、軸方向の固定をＣ型止め輪５６，５７により行なっている。
【０００３】
しかしながら、上記従来技術には、以下のような不都合がある。
（１）近年におけるエンジンの高出力化に伴って回転トルクが大きくなってきており、上記したような窪み５４に突起５５を嵌め合わせるだけの回り止め構造では、軸受保持部材５２が回転してしまうのを抑制できない可能性が高くなってきている。またトラック等の大型車両では元々、プロペラシャフトが大きくて重いことから、軸受５１でシャフトを支持してもシャフトにみそすり運動（振れ回り）が起こり、軸受保持部材５２に回転しようとするトルクが発生する。この場合、窪み５４と突起５５の嵌め合わせにより回転を防止しようとしても、シャフトの重さやみそすり運動によってゴム状弾性体５３が変形して嵌め合わせが外れてしまうことがあるので、回り止めとして十分に機能することができない。軸受保持部材５２が万一回転すると、ゴム状弾性体５３に摺動摩耗が発生するので、シャフトを適切に支持できなくなる。
（２）金属環よりなる軸受保持部材５２の外周面に突起５５を設けるとともに内周面にＣ型止め輪５６，５７嵌合用の装着溝５８，５９を設ける構造であることから、軸受保持部材５２の製作に多くの手間とコストがかかっている（鋳物＋切削等）。
（３）軸受保持部材５２の軸受５１との嵌め合い形式を中間嵌めとして、軸受５１の軸方向固定をＣ型止め輪５６，５７により行なっていることから、部品点数および組み立て工数が多い。部品点数は、軸受５１、軸受保持部材５２、ゴム状弾性体５３および一対のＣ型止め輪５６，５７よりなる５点であり、組み立て工数は以下の４工程である。
１）ゴム状弾性体５３に軸受保持部材５２を嵌合する。
２）軸受保持部材５２に軸受５１を嵌合する。
３）一方のＣ型止め輪５６を嵌合する。
４）他方のＣ型止め輪５７を嵌合する。
【０００４】
【特許文献１】特公平８−３３１６４号公報
【発明の開示】
【発明が解決しようとする課題】
【０００５】
本発明は以上の点に鑑みて、軸受保持部材を確実に回り止めするとともに容易に製作可能とし、しかもセンターベアリングサポート全体としても部品点数および組み立て工数が少なくて済む大型車両用センターベアリングサポートを提供することを目的とする。
【課題を解決するための手段】
【０００６】
上記目的を達成するため、本発明の請求項１によるセンターベアリングサポートは、ブロック状を呈するゴム状弾性体に設けた軸孔の内周に金属環よりなる軸受保持部材を固定し、前記軸受保持部材の内周に軸受を固定してなる大型車両用センターベアリングサポートにおいて、前記ゴム状弾性体と軸受保持部材との結合を加硫接着構造とし、前記軸受保持部材を段付部を有する形状とし、前記軸受保持部材と軸受との結合を圧入構造としたことを特徴とするものである。
【０００７】
また、本発明の請求項２によるセンターベアリングサポートは、上記した請求項１記載のセンターベアリングサポートにおいて、軸受保持部材は、大径筒部の軸方向一端に段付部を介して小径筒部を一体成形した形状とされていることを特徴とするものである。
【０００８】
上記構成を有する本発明のセンターベアリングサポートにおいては、ブロック状を呈するゴム状弾性体と軸受保持部材との結合が加硫接着構造とされているために、加硫接着により両者が完全に一体化されており、軸受保持部材に回り止めのための突起を設ける必要がない。また、軸受保持部材が段付部を有する形状とされるとともに軸受保持部材と軸受との結合が圧入構造とされているために、軸受を段付部に突き当たるまで圧入するのみによって組み立て作業を完了させることができ、軸受を軸方向に固定するのにＣ型止め輪等を用いる必要がない。金属環よりなる軸受保持部材の形状としては具体的には、大径筒部の軸方向一端に段付部を介して小径筒部を一体成形した形状とするのが好適である。
【発明の効果】
【０００９】
本発明は、以下の効果を奏する。
【００１０】
すなわち、本発明のセンターベアリングサポートにおいては上記したように、ブロック状を呈するゴム状弾性体と軸受保持部材との結合が加硫接着構造とされているために、加硫接着により両者が完全に一体化され、軸受保持部材には回り止めのための突起を設ける必要がない。したがって、回転トルクが大きな場合であっても軸受保持部材を確実に回り止めすることができるとともに軸受保持部材の製作を容易化することができる。大径筒部の軸方向一端に段付部を介して小径筒部を一体成形した形状の軸受保持部材は、その外周面に突起を有さないことから、その製作が至って容易である。
【００１１】
また、軸受保持部材が段付部を有する形状とされるとともに軸受保持部材と軸受との結合が圧入構造とされているために、軸受を段付部に突き当たるまで圧入するのみによって組み立て作業を完了させることができ、軸受を軸方向に固定するのにＣ型止め輪等を用いる必要がない。したがって、センターベアリングサポート全体としても部品点数および組み立て工数を削減することができる。
【発明を実施するための最良の形態】
【００１２】
本発明には、以下の実施形態が含まれる。
（１）大型車両用のセンターベアリングサポートにおいて、軸受を保持する軸受保持部材を弾性体に挿入保持させる構造を持つものがある。この構造では、軸受保持部材の回転防止として、弾性体に窪みを設け、窪みに合致する突起を軸受保持部材に設ける必要がある。しかしながら、近年の高出力化に伴い回転トルクが大きくなり、突起と窪みだけでは回転を抑制できない可能性が高くなってきている。また突起成形のため、軸受保持部材の製作にコストがかかってしまう（鋳物＋切削等）。また、一般的に軸受保持部材の内径を切削し、軸受との嵌め合いを中間嵌めとして軸方向の固定をＣ型止め輪等で行なっており、部品点数が多く、組み立ても困難となっている。
【００１３】
（２）そこで、センターベアリングサポートを以下の形態とする。
（２−１）軸受保持部材と弾性体との結合を加硫接着とする。
（２−２）軸受保持部材を段付部を有するプレス成形品とする。但し、削り出しにての類似形状製作も可とする。
（２−３）軸受と軸受保持部材との結合を圧入構造とする。
【００１４】
（３）上記形態のセンターベアリングサポートによれば、以下の作用効果が発揮される。
（３−１）軸受保持部材と弾性体との結合を加硫接着とすることで、高い回転トルクの場合でも回転防止が可能となる。
（３−２）軸受保持部材の形状を簡素化することができる。
（３−３）軸受と軸受保持部材との結合を圧入構造とし、軸受の軸方向固定を段付部で行なうことで、組み付け工程の簡素化および部品点数の削減が可能となる。
【実施例】
【００１５】
つぎに本発明の実施例を図面にしたがって説明する。
【００１６】
図１は、本発明の実施例に係るセンターベアリングサポート１の一部裁断した斜視図を示している。また、図２は同センターベアリングサポート１における軸受保持部材３の外観斜視図、図３は同センターベアリングサポート１の組み立て工程説明図をそれぞれ示している。当該実施例に係るセンターベアリングサポート１は大型車両用センターベアリングサポートとして用いられるものであって、以下のように構成されている。
【００１７】
すなわち先ず、当該センターベアリングサポート１は、ブロック状に成形されたゴム状弾性体２を有しており、このゴム状弾性体２に設けた軸孔２ａの内周に金属環よりなる軸受保持部材３が固定されるとともに軸受保持部材３の更に内周に軸受４が固定されている。
【００１８】
ゴム状弾性体２は、大型車両用センターベアリングサポートに用いられるボリュームの比較的大きなゴム成形品であってブロック（ｂｌｏｃｋ）状に成形されており、すなわち軸受保持部材３と略同じであって軸受４よりも大きな軸方向幅ｗを有し、その全幅に亙って端面形状がそのままの形状で連続する形状に成形されている。また軸孔２ａの周りには、バネ定数を調整するための貫通孔状の空間部（すぐり部）２ｂが所要数設けられている（図では４等配）。
【００１９】
軸受保持部材３は、金属プレス環よりなり、図２に示すように大径筒部３ａの軸方向一方の端部から径方向内方へ向けて段付部（環状の平面部）３ｂを一体成形し、段付部３ｂの内周端部から軸方向一方へ向けて小径筒部３ｃを一体成形した形状に成形されている。またこの軸受保持部材３は、ゴム状弾性体２を金型で成形する際に金型内に挿入され、ゴム状弾性体２の加硫成形と同時にゴム状弾性２と加硫接着されている。尚、この軸受保持部材３に、回り止めのための突起や窪みの類やＣ型止め輪を嵌合するための装着溝の類はいっさい設けられていない。
【００２０】
軸受４は、ボールベアリングよりなり、軸受保持部材３に嵌合された外輪４ａと、シャフト側に嵌合される内輪４ｂと、多数の転動体４ｃとを有している。この軸受４は、軸受保持部材３の内周に圧入されることによって固定され、すなわち軸受保持部材３の段付部３ｂに突き当たるまで圧入されてこの状態で大径筒部３ａの内周側に保持されている。
【００２１】
当該センターベアリングサポート１の構成要素は、ゴム状弾性体２、軸受保持部材３および軸受４の３点のみとされている。また、上記したようにゴム状弾性体２と軸受保持部材３は加硫接着により予め一体化されているので、当該センターベアリングサポート１の組み立て工数は、図３に示すように軸受保持部材３の内周に軸受４を圧入する１工程のみとされている。
【００２２】
上記構成のセンターベアリングサポート１においては、ブロック状を呈するゴム状弾性体２と軸受保持部材３とが加硫接着されているために、両者２，３が完全に一体化されている。したがって、大きな回転トルクが入力しても軸受保持部材３が回転するのを防止することができる。
【００２３】
また、このように加硫接着により軸受保持部材３の回転を防止することから、軸受保持部材３には回り止めのための突起や窪みの類を設ける必要がなく、またＣ型止め輪を嵌合するための装着溝の類を設ける必要もない。したがって、軸受保持部材３の製作を格段に容易化することができる。
【００２４】
また、軸受保持部材３が段付部３ｂを有する形状とされるとともに軸受保持部材３に軸受４が圧入される構造とされているために、軸受４を段付部３ｂに突き当たるまで圧入する１工程のみによって組み立てが完了させることができ、Ｃ型止め輪等を用いる必要がない。したがって、センターベアリングサポート１全体としても部品点数および組み立て工数を削減することができる。
【００２５】
尚、上記実施例では、軸受保持部材３を金属プレス環よりなるものとしたが、削り出しによって成形されるものとしても良い。
【図面の簡単な説明】
【００２６】
【図１】本発明の実施例に係るセンターベアリングサポートの一部裁断した斜視図
【図２】同センターベアリングサポートにおける軸受保持部材の外観斜視図
【図３】同センターベアリングサポートの組み立て工程説明図
【図４】従来例に係るセンターベアリングサポートの一部裁断した斜視図
【図５】同センターベアリングサポートにおける軸受保持部材の外観斜視図
【図６】同センターベアリングサポートの組み立て工程説明図
【符号の説明】
【００２７】
１  センターベアリングサポート
２  ゴム状弾性体
２ａ  軸孔
２ｂ  空間部
３  軸受保持部材
３ａ  大径筒部
３ｂ  段付部
３ｃ  小径筒部
４  軸受
４ａ  外輪
４ｂ  内輪
４ｃ  転動体
【図１】
2008281099.tif 000003
【図２】
2008281099.tif 000004
【図３】
2008281099.tif 000005
【図４】
2008281099.tif 000006
【図５】
2008281099.tif 000007
【図６】
2008281099.tif 000008